(57)【要約】【課題】草やゴミ、粉じん等の異物が吸気口に付着することや異物が吸気口からハウジング内に入り込むことを抑制する。【解決手段】前部に上下方向の軸線回りに回転するブレード５を備え、該ブレード５を駆動するモータがハウジング２に収容されている電動工具であって、ハウジング２の右側の半割体２５に、モータ冷却用の吸気口３８が形成されたカバー体が着脱自在に取り付けられている。吸気口３８の前側には段差部が形成されていて、その段差部の壁面がガード壁面を構成している。【選択図】図１
2017071023.tif 000002
【特許請求の範囲】
【請求項１】
前部に上下方向の軸線回りに回転する回転工具を備え、該回転工具を駆動するモータがハウジングに収容されている電動工具であって、
ハウジングの左右両側面のうち、前後方向の前側を基準として回転工具の回転方向の上流側に位置する側面に、モータ冷却用の吸気口を備えていることを特徴とする電動工具。
【請求項２】
吸気口の前側にガード壁面が外側に向けて立設されている請求項１記載の電動工具。
【請求項３】
ハウジングは、前記上流側の側面に開口部を有するハウジング本体と、該ハウジング本体の開口部をカバーすべくハウジング本体に外側から着脱自在に取り付けられたカバー体とを備え、該カバー体に前記吸気口が設けられている請求項１又は２記載の電動工具。
【請求項４】
ハウジング本体は、左右二分割の半割体同士が一方の半割体側から他方の半割体側に向けてネジ止めされた構成であり、一方の半割体に前記開口部を有すると共に前記カバー体が取り付けられている請求項３記載の電動工具。
【発明の詳細な説明】
【技術分野】
【０００１】
本発明は、回転刃等の回転工具を備えた電動工具に関する。
【背景技術】
【０００２】
刈払い機は、その前部に上下方向の軸線まわりに回転する回転刃を備えており、回転刃はモータによって駆動される。モータはハウジングに収容されているため、温度が上昇しやすい。従って、モータを冷却するためにハウジングに吸気口を形成することが行われており、例えば下記特許文献１においては、ハウジングの後面に吸気口が形成されている。
【０００３】
しかしながら、本発明者が吸気口の位置と吸気口への草やゴミ等の付着状態との関係や吸気口からの粉じん等の侵入度合いとの関係について詳細に検討したところ、吸気口の配置に関して更なる改善の余地があるということが判明した。
【先行技術文献】
【特許文献】
【０００４】
【特許文献１】特許第５２７１５１７号公報
【発明の概要】
【発明が解決しようとする課題】
【０００５】
それゆえに本発明は上記従来の問題点に鑑みてなされ、草やゴミ、粉じん等の異物が吸気口に付着することや異物が吸気口からハウジング内に入り込むことを抑制することを課題とする。
【課題を解決するための手段】
【０００６】
本発明は上記課題を解決すべくなされたものであって、本発明に係る電動工具は、前部に上下方向の軸線回りに回転する回転工具を備え、該回転工具を駆動するモータがハウジングに収容されている電動工具であって、ハウジングの左右両側面のうち、前後方向の前側を基準として回転工具の回転方向の上流側に位置する側面に、モータ冷却用の吸気口を備えていることを特徴とする。尚、ハウジングの左右両側面のうち、前後方向の前側を基準として回転工具の回転方向の上流側に位置する側面とは、例えば、平面視において回転工具が左回り（反時計回り）に回転する場合には、回転工具の回転方向の上流側に位置する側面は右側面となり、逆に、平面視において回転工具が右回り（時計回り）に回転する場合には、回転工具の回転方向の上流側に位置する側面は左側面となる。以下、単に上流側の側面ということがある。
【０００７】
該構成の電動工具にあっては、ハウジングの上流側の側面にモータ冷却用の吸気口を備えているので、回転工具の回転によって周囲に飛散する草やゴミ、粉じん等の異物が吸気口に向かいにくくなる。そのため、異物が吸気口を塞ぐ確率が低くなって吸気効率を維持できる。また、吸気口に付着した異物を除去する手間も少なくなる。更に、異物が吸気口からハウジングの内部に侵入しにくくなるので、モータの性能も維持されやすくなって、故障発生率も低下できる。
【０００８】
特に、吸気口の前側にガード壁面が外側に向けて立設されていることが好ましく、ガード壁面によって異物がブロックされ、吸気口へ異物が向かうことをより一層抑制できる。
【０００９】
更に、ハウジングは、前記上流側の側面に開口部を有するハウジング本体と、該ハウジング本体の開口部をカバーすべくハウジング本体に外側から着脱自在に取り付けられたカバー体とを備え、該カバー体に前記吸気口が設けられていることが好ましい。該構成では、カバー体を外すことで吸気口を容易に清掃することができる。従って、吸気口に付着した異物を簡単に除去することができ、吸気口のメンテナンスが容易になる。
【００１０】
また、ハウジング本体は、左右二分割の半割体同士が一方の半割体側から他方の半割体側に向けてネジ止めされた構成であり、一方の半割体に前記開口部を有すると共に前記カバー体が取り付けられていることが好ましい。該構成では、左右の半割体同士を連結するためのネジの螺入作業とカバー体の取付作業とを同じ方向から行うことができるので、組み立て性に優れている。
【発明の効果】
【００１１】
以上のように、吸気口をハウジングの上流側の側面に備えることにより、吸気口への異物の付着や、吸気口からハウジング内への異物の侵入が抑制され、その結果、モータの冷却効率を維持、向上でき、モータの劣化や故障発生率も抑制できる。
【図面の簡単な説明】
【００１２】
【図１】本発明の一実施形態における電動工具としての刈払い機を右側から見た図。
【図２】同刈払い機の要部を右側から見た図。
【図３】同刈払い機の要部を上側から見た平面図。
【図４】同刈払い機の要部を前側から見た図。
【図５】同刈払い機の要部の縦断面図。
【図６】図２のＡ−Ａ断面図。
【図７】同刈払い機のハウジングを後側から見た図。
【図８】同刈払い機の要部をＡ−Ａ線と直交する方向に切断した断面図。
【図９】同刈払い機においてハウジング本体からカバー体及びフィルターを取り外した状態を示す、図８に対応した断面図。
【図１０】同刈払い機のハウジング本体の右側の半割体を外側から見た図。
【図１１】本発明の他の実施形態における電動工具としてのグラインダを左側から見た図。
【図１２】同グラインダの要部を上側から見た平面図。
【発明を実施するための形態】
【００１３】
以下、本発明の一実施形態にかかる電動工具について図１乃至図１０を参酌しつつ説明する。本実施形態における電動工具は、バッテリ式の電動刈払い機である。図１のように、刈払い機は、筒状の操作軸１と、該操作軸１の前端部に取り付けられたモータハウジング２と、操作軸１の後端部に取り付けられた操作ハウジング３とを備えている。尚、図中、前側を矢印Ｘ１、後側を矢印Ｘ２、右側を矢印Ｙ１、左側を矢印Ｙ２、上側を矢印Ｚ１、下側を矢印Ｚ２で示している。
【００１４】
操作ハウジング３の後端部には図示しない充電式のバッテリ（バッテリパック）が着脱自在に装着される。そのため、操作ハウジング３の後端部にはバッテリが着脱自在に取り付けられるバッテリ取付部１０を備えている。本実施形態においてバッテリは上側から下側へと装着され、下側から上側へと外される。従って、バッテリの装着方向は下向きであり、バッテリの取り外し方向は上向きである。尚、バッテリは斜め方向に着脱される。装着されたバッテリの電力は操作ハウジング３、操作軸１及びモータハウジング２の内部を通るケーブル１１（図５参照）を介して、モータハウジング２内のモータ４に給電される。
【００１５】
また、操作ハウジング３は、バッテリ取付部１０の前側に、主ハンドル部１２を備えている。該主ハンドル部１２は前後方向に延びていて、その下面にはモータ４をＯＮ、ＯＦＦ操作するためのトリガ１３を備えていて、トリガ１３を上側に押し込むことでモータ４がＯＮ状態となって作動する。操作ハウジング３の前側部分には補助ハンドル１４が立設されている。該補助ハンドル１４は、例えばコの字状であってその両端部が操作ハウジング３に左右方向の軸線回りに回動自在に連結されている。補助ハンドル１４の前側には、補助ハンドル１４の角度を固定、変更するためのロックレバー１５が備えられており、ロックレバー１５を図１のように操作軸１に沿った状態にすると補助ハンドル１４の角度が固定され、ロックレバー１５を図１の状態から下側に回動させると補助ハンドル１４を前後に回動させることができ、かかる機構により、補助ハンドル１４の角度を前後に変更し且つ所定の角度で固定することができる。
【００１６】
操作ハウジング３の前端部の内側に操作軸１の後端部が挿入され固定されている。操作軸１は、例えば金属製の径一定の直管からなり、内部にケーブルが挿通する。そして、操作軸１の前端部は、モータハウジング２の後端部に挿入され固定されている。
【００１７】
モータハウジング２は、図５のようにその内側にモータ４を内蔵している。モータ４は、上下方向の軸線回りに回転するように配置され、その主軸４１は下側を向いている。モータ４はブラシ付きの缶モータ４であって、モータケース４０の内部にファン（図示省略）を備えた構成となっている。ファン及びブラシ（図示省略）は主軸４１とは反対側である上側に位置している。モータケース４０の筒状の胴部の上部にはモータ排気孔４２が形成されており、また、モータケース４０の軸線方向両端面である上面と下面にはそれぞれ図示しないモータ吸気孔が形成されており、上下のモータ吸気孔から空気がモータケース４０の内部に入り、モータ排気孔４２から空気が排出されることで、モータケース４０の内部を冷却してその温度上昇を抑制する。尚、主軸４１はモータケース４０の下面から下方に突出している。従って、モータケース４０の下面は出力側の端面であり、上面は反出力側の端面である。
【００１８】
モータ４の主軸４１からギヤ４３を介して駆動力が回転工具としてのブレード５に伝達される。ブレード５は円板状であってその周縁部に刃部を有していて、上下方向の軸線回りに回転する。ブレード５の回転方向は、図３のように平面視において左回り、即ち反時計回りである。ブレード５の回転方向を図３に矢印Ｒで示している。ブレード５は、図２や図４、図５にも示しているように、モータハウジング２の下側に位置する。モータハウジング２の下面からブレード受け４４が下方に僅かに突出するようにして露出しており、そのブレード受け４４にはブレードホルダ４５がネジ４６（図５参照）により下側から着脱自在に取り付けられる。ブレード５は、ブレード受け４４とブレードホルダ４５との間に挟み込まれるようにして取り付けられる。ブレード受け４４はギヤ４３を介してモータ４から駆動力を受けて回転する。従って、ブレード受け４４、ブレード５及びブレードホルダ４５は一体となって回転する。
【００１９】
モータハウジング２は、前側に位置し、モータハウジング２の主要部分を構成していて、モータ４及びギヤ４３を収容するモータ収容部２０と、該モータ収容部２０の後面上部から後側且つ斜め上方に向けて延びる円筒状の取付筒部２１とを備えている。モータ収容部２０の内部空間と取付筒部２１の内部空間は連通していてモータハウジング２の内部は一つの収容空間となっている。取付筒部２１の後端部は開口していてそこから操作軸１が挿入されて連結されており、取付筒部２１と操作軸１は互いの中心線が一致した同軸状にある。
【００２０】
モータ収容部２０の上面と取付筒部２１の外周面の上部とは滑らかに連続している。その一方、モータ収容部２０の後面と取付筒部２１の外周面の下部との間は屈曲した形状となっている。即ち、モータ収容部２０の後面には上下方向に延びる垂直延在部２２があって、その垂直延在部２２の上端から後側且つ斜め上方に向けて所定角度屈曲して取付筒部２１の外周面の下部が延びている。また、モータ収容部２０の後面の垂直延在部２２の下端から斜め前方に向けて外側凸（下側凸）に膨らむように湾曲しつつ延びる弧状湾曲面部２３が延設されている。該弧状湾曲面部２３はブレード５の上方に位置している。モータ収容部２０の後面の垂直延在部２２には後側から飛散防護カバー６がネジ止めされている。尚、飛散防護カバー６を取り付けるためのネジ７は、後述する左右の半割体２５，２６同士の分割接合ラインＬ上に位置している。
【００２１】
飛散防護カバー６は、ブレード５によって刈られた草が後方の作業者側に飛散することを防止するためのものである。飛散防護カバー６はその上端部に上下方向に延びる取付部６０を有していてその取付部６０においてモータハウジング２のモータ収容部２０の垂直延在部２２に外側（後側）から着脱自在に取り付けられる。また、図２、図３及び図５のように、飛散防護カバー６は、取付部６０を中心として後側に所定の中心角をもって径方向に延びつつ下降する平面視扇状の傘部６１を有しており、該傘部６１がブレード５の後方且つ上方をカバーすることで刈られた草の後方への飛散を防止する。該傘部６１の頂上面部６２から取付部６０が上方に向けて突設されており、傘部６１の頂上面部６２はブレード５の刃部（外縁部）の直上に位置している。傘部６１の頂上面部６２の高さは、垂直延在部２２の下端及び弧状湾曲面部２３の上端の高さと等しい。従って、図５のように、傘部６１の内面と弧状湾曲面部２３との間の前後の離間距離は、傘部６１の頂上面部６２及び弧状湾曲面部２３の上端から下側に向けて徐々に大きくなっていく。これにより、ブレード５と飛散防護カバー６との間の距離を十分に確保できてブレード５と飛散防護カバー６との間に草が詰まることを防止できる。尚、傘部６１の下端の高さはブレード５よりも低い。
【００２２】
また、モータハウジング２の前面には際刈ガード８が着脱自在に取り付けられている。該際刈ガード８は、図３のようにブレード５の回転中心を中心とした平面視半円状の板状であって、モータハウジング２のモータ収容部２０の外面の上下方向の中途部に、前側半分の領域をカバーする庇を形成するようにして外側に向けて略水平に延びている。即ち、際刈ガード８は、ブレード５から所定高さ上側に離れて位置している。際刈ガード８はブレード５よりも大きく、平面視において際刈ガード８の先端周縁部はブレード５の刃部よりも径方向外側に位置する。従って、例えば、コンクリートの壁面の際の草を刈り取る際に、コンクリートの壁面に際刈ガード８がブレード５よりも先に当たることになって、ブレード５がコンクリートの壁面に当たって摩耗することを防止できる。尚、際刈ガード８は、その内周縁部をモータハウジング２の前面の横スリットに差し込むようにして取り付けることができる。
【００２３】
モータハウジング２は、ハウジング本体と、該ハウジング本体に着脱自在に取り付けられたカバー体２４とを備えている。ハウジング本体は、左右方向の中央部に分割接合ラインＬを有する左右二分割の構成となっている。ハウジング本体は、左右一対の半割体２５，２６が互いに接合されて中空状に構成されている。左右両半割体２５，２６の接合は、ネジ２７による。具体的には、両半割体２５，２６は、右側の半割体２５から左側の半割体２６に向けてネジ２７が螺入されて接合一体化されている。尚、右側の半割体２５から螺入された複数のネジ２７が、モータハウジング２の内部に挿入された操作軸１の前端部を貫通していて、このネジ２７によってモータハウジング２に操作軸１が連結されてその抜けが防止される。
【００２４】
左右両半割体２５，２６にはそれぞれ前側に対して後側が内側となる段差部２８が形成されている。段差部２８よりも前側の半割体２５，２６の部分は段上部であって相対的に外側に突出して位置し、段差部２８よりも後側の半割体２５，２６の部分は段下部であって相対的に内側に奥まって位置している。左右両半割体２５，２６の段差部２８は互いに同一形状で対称関係にある。従って、以下、右側の半割体２５の段差部２８について詳細に説明する。段差部２８は、筋状であって、図２及び右側の半割体２５を示している図１０のように、モータ収容部２０から取付筒部２１にかけて延びている。段差部２８は、モータ収容部２０においては垂直に近い角度で延びていて、上側ほど後側となるように若干傾斜しており、取付筒部２１においては取付筒部２１の軸線に沿って延びて、段差部２８の上端部は後方に湾曲しつつ延びている。
【００２５】
取付筒部２１がモータ収容部２０の後面の垂直延在部２２に対して屈曲して斜め上方に延びていることと関係して、段差部２８は、モータ収容部２０から取付筒部２１にかけて延びる屈曲ラインに沿うように途中で向きを後方且つ斜め上方に変えてモータ収容部２０から取付筒部２１へと延びている。段差部２８は、モータ収容部２０においては後側半分の領域に形成されていて、モータ４の回転中心よりも後側に位置している。また、段差部２８は、取付筒部２１においてはその中心線近傍あるいは中心線よりも下側ないし後側に位置している。このように半割体２５の外面は段差部２８によって前後に区画されている。
【００２６】
尚、左右の半割体２５，２６にはそれぞれ、モータ排気孔４２に対応した位置に、モータ排気孔４２から出た空気をモータハウジング２の外部に排出するための排気口２９が形成されている。排気口２９の形態は任意であるが、本実施形態では、前後に複数の排気口２９が並んだ形態である。上述の段差部２８の屈曲部分は排気口２９の近傍に位置していて、段差部２８は排気口２９の直ぐ後側の位置で取付筒部２１の軸線に沿う方向に屈曲している。
【００２７】
半割体２５において段差部２８よりも後側の部分は前側の部分に比して一段奥まった状態にあるが、その段差部２８よりも後側の部分に半割体２５を内外貫通するように開口部３０が形成されている。尚、開口部３０は右側の半割体２５にのみ形成されていて左側の半割体２６には形成されていない。開口部３０は段差部２８に隣接してその直ぐ後側に位置している。また、開口部３０は段差部２８に沿って複数個並設されていて、その個数は任意であるが本実施形態では四個である。開口部３０は、段差部２８の全長のうち取付筒部２１の軸線に沿って延びる部分に隣接して形成されている。このように開口部３０は段差部２８に隣接して形成されており、開口部３０の直ぐ前側には図７のように段差部２８の壁面２８ａが位置している。段差部２８の壁面２８ａは、階段の蹴上げ部に相当する部分であって内外方向に略直角に立設されている。この段差部２８の壁面２８ａが本実施形態においてガード壁面を構成している。
【００２８】
開口部３０はモータ収容部２０と取付筒部２１の境界部分近傍に位置していて、上述の排気口２９の直ぐ後側の位置から取付筒部２１の軸線に沿って斜め上方に向けて並設されている。図１０のように隣接する開口部３０同士の間には桟部３１が形成されている。該桟部３１は、段差部２８と直交する方向に延びていて細長い形状である。
【００２９】
そして、この複数の開口部３０を一括して覆うように長方形状のカバー体２４が右側の半割体２５に着脱自在に取り付けられている。カバー体２４は、右側の半割体２５に外側から取り付けられる構成となっている。詳細には、カバー体２４は、図６、図８及び図９に示すように、複数の開口部３０をまとめて覆う板状部３２と、該板状部３２の長手方向両端部にそれぞれ裏面側に向けて突設された脚部３３，３４とを備えている。板状部３２は、複数の開口部３０の並設方向に長い長方形状であって、段差部２８に沿って配置されている。板状部３２には多数の吸気口３８がメッシュ状あるいはパンチング孔状に形成されている。該吸気口３８は、モータハウジング２内に空気を取り込むためのものであってモータ冷却用である。
【００３０】
尚、カバー体２４の取付状態において、図６や図７のように板状部３２は段差部２８の壁面２８ａの高さを越えて外側に突出するということはなく、カバー体２４の板状部３２は、段差部２８よりも前側の半割体２５の部分よりも内側に奥まった状態にある。更に、図８のように、板状部３２の外面は開口部３０の周囲のカバー体２４の部分の外面と面一の状態となることが好ましい。また、板状部３２と桟部３１との間にはフィルタ３５を介在させることが好ましく、半割体２５からカバー体２４を外側に向けて取り外すことによってフィルタ３５を清掃したり交換したりできる。また、桟部３１が設けられているので、フィルタ３５を板状部３２と桟部３１との間に挟み込むように取り付けることができ、フィルタ３５を板状部３２の内側に容易に配置できる。
【００３１】
開口部３０の並設方向の両側にはそれぞれカバー差し込み口３６，３７が設けられていて、そのカバー差し込み口３６，３７に脚部３３，３４を差し込むことでカバー体２４を半割体２５に取り付けることができる。脚部３３，３４の先端部にはフック部３３ａ，３４ａが形成されていて、そのフック部３３ａ，３４ａが半割体２５の例えば内面に係止することでカバー体２４の取付状態が維持される。フック部３３ａ，３４ａは、脚部３３，３４の外面（カバー体２４の長手方向の外側となる面）に形成されているが、内面であってもよい。カバー体２４は例えば樹脂成形品とすることができる。脚部３３，３４はその保有弾性によって弾性変形でき、従って、例えば、マイナスドライバ等をカバー差し込み口３６，３７の壁面と脚部３３，３４の外面との間の隙間Ｓに差し込むことで脚部３３，３４が内側に弾性変形してフック部３３ａ，３４ａの係止状態が解除され、半割体２５からカバー体２４を取り外すことができる。
【００３２】
本実施形態においては、一対のカバー差し込み口３６，３７のうち、一方のカバー差し込み口３６が他方のカバー差し込み口３７とは異なって相対的に大きく形成されている。また、一方の脚部３３は他方の脚部３４よりも長く、一方の脚部３３が一方のカバー差し込み口３６に、他方の脚部３４が他方のカバー差し込み口３７に、それぞれ差し込まれる。一方のカバー差し込み口３６の壁面のうち脚部３３の外面と対峙する部分にはテーパ面３６ａが設けられていて、一方のカバー差し込み口３６は外側に向けて末広がりに大きくなっている。従って、一方のカバー差し込み口３６の壁面と脚部３３の外面との間の隙間Ｓはテーパ面３６ａによって外側に向けて徐々に広がった状態となっており、その隙間Ｓにマイナスドライバ等の薄肉扁平状の工具の先端部を差し込むことで、一方の脚部３３のフック部３３ａを半割体２５から容易に係止解除できる。そして、図８に矢印Ｔで示しているようにカバー体２４を他方の脚部３４側を支点として回動させると、半割体２５から容易にカバー体２４を取り外すことができる。尚、図９にはカバー体２４とフィルタ３５を取り外した状態を示している。
【００３３】
以上のように構成された刈払い機にあっては、例えば作業者が右利きの場合、右手で主ハンドル部１２を持ち、左手で補助ハンドル１４を持って草刈り作業を行うことができる。その作業においては、刈払い機を作業者を支点として左右に揺動させながら刈払い機の前端部に位置するブレード５で草を刈り取っていく。特に、図３に矢印Ｗで示しているように、刈払い機を左側に回動させる際に、主として草を刈り取るようにする。また、コンクリート壁等の際の草を刈る場合には、際刈ガード８を取り付けて作業を行うことができる。
【００３４】
作業中、吸気口３８から吸い込まれた空気はモータケース４０のモータ吸気孔へと流れていき、そこからモータケース４０内へと入ってモータ４を冷却した後、モータケース４０のモータ排気孔４２とハウジングの排気口２９を通って外部へと排出される。特に、本実施形態においては、モータ４のブラシに近い位置に吸気口３８が設けられているので、吸気口３８から吸い込まれた空気はモータケース４０の上面のモータ吸気孔にスムーズに流れることになる。即ち、吸気口３８から吸い込まれた空気は、主としてブラシに近い側である上側のモータ吸気孔からモータケース４０内に流れ込むことになる。従って、発熱量の多い部分であるモータ４のブラシ付近の部分を効率良く冷却できる。
【００３５】
一方、草刈り作業を行うことによって、刈り取られた草やゴミ、粉じん等がモータハウジング２の周囲に舞い散ることになるが、吸気口３８がモータハウジング２の後面や左側の側面には設けられていなくて右側の側面に設けられており、その吸気口３８は、前側を基準とした場合においてブレード５の回転方向の上流側に位置しているので、吸気口３８を後面や左側の側面に設けた場合に比して草等の異物が吸気口３８に向かいにくくなる。従って、刈り取った草が吸気口３８に付着することを抑制することができて吸気効率を維持することができ、モータ４を長時間に亘って効率良く冷却することができる。また、吸気口３８に付着した草を除去する手間も少なくなって草刈り作業の作業効率も向上できる。また更に、草や粉塵等の異物が吸気口３８からモータハウジング２の内部に侵入しにくくなるので、モータ４の劣化や故障発生率も抑制できる。特に、刈払い機においては上述したように刈払い機を主として左側に回動させる際に草を刈り取っていくので、その左側への回動動作においてもその上流側ないし後側に吸気口３８が位置していることになって、吸気口３８への草の付着を抑制できる。
【００３６】
しかも、段差部２８の後側に吸気口３８が設けられているので、段差部２８の壁面２８ａがガード壁面として機能して異物をブロックする。従って、吸気口３８に異物が向かうことをより一層抑制でき、吸気口３８へ草等の付着も抑制される。特に、段差部２８の後側に隣接して吸気口３８が設けられているうえに、ガード壁面が段差部２８の壁面２８ａであってカバー体２４の板状部３２に対して略直角に切り立っているので、草等の異物を確実にブロックすることができる。ガード壁面である段差部２８の壁面２８ａから後側に離れる程、段差部２８の壁面２８ａによる異物防護効果が薄れていく。かかる観点において本実施形態では、カバー体２４が段差部２８に隣接していると共に、筋状の段差部２８に沿って長い形状であって段差部２８と直交する方向である短手方向の寸法が小さい（細い）形状となっており、段差部２８の壁面２８ａによる異物防護効果が高く、しかも板状部３２の面積、吸気口３８の面積も十分に確保できる。
【００３７】
尚、筋状の段差部２８を半割体２５，２６に設けることによって半割体２５，２６の強度も高くなる。特に、段差部２８がモータ収容部２０から取付筒部２１にかけて筋状に延びているので、モータ収容部２０と取付筒部２１との境界部分における強度が高くなり、その境界部分における半割体２５，２６の割れや破損等が防止される。
【００３８】
また、外側から着脱自在なカバー体２４に吸気口３８が設けられているので、モータハウジング２を分解することなく、半割体２５からカバー体２４を外側に向けて容易に外すことで吸気口３８を簡単に清掃することができる。また、フィルタ３５も同様に清掃したり交換したりすることができる。このように吸気口３８のメンテナンスが容易になるという利点がある。
【００３９】
しかも、組み立て作業性も良好である。即ち、左右の半割体２５，２６をネジ２７によって接合一体化する作業は、左側の半割体２６が下となり、右側の半割体２５が上を向くようにして、上側からネジ２７を螺入していくが、そのネジ止め作業と合わせて同じ向きからカバー体２４を右側の半割体２５に装着することができる。従って、重く、しかも長い刈払い機の向きを作業途中で変更する必要がなく、ネジ止め作業とカバー体２４の装着作業を一連の作業として行うことができて作業効率に優れている。
【００４０】
尚、本実施形態では、段差部２８の壁面２８ａがガード壁面を構成したが、例えば半割体２５の外面（表面）にリブを突設させて、そのリブの壁面（側面）をガード壁面とする構成としてもよい。また、段差部２８の壁面２８ａも略直角に立設するものに限られず、傾斜したものであってもよく、また平面ではなく曲面であってもよい。
【００４１】
更に、複数の開口部３０を段差部２８に沿って並設し、隣接する開口部３０同士の間に桟部３１を設けたが、段差部２８に沿って長い例えば長方形状の開口部３０を一つ設ける構成としてもよく、開口部３０の形状、個数は任意である。また、右側の半割体２５とは別部材のカバー体２４に吸気口３８を設けたが、カバー体２４を設けずに、右側の半割体２５に直接吸気口３８を形成してもよい。また、ハウジング本体の構成も任意であって左右二分割構成ではなくてもよく、何れにしてもハウジング本体の右側の側面に吸気口３８が形成されていればよい。
【００４２】
また、バッテリ式の刈払い機を例示したが、コードレスタイプではなく電源コードを備えたタイプであってもよい。例えば、操作ハウジング３にＡＣ電源コードを備えると共にＡＣ／ＤＣ変換部を内蔵する構成としてもよい。
【００４３】
更に、回転工具を有する電動工具としては、刈払い機の他、例えばグラインダ（サンダ、ディスクサンダ）等であってもよい。例えば、図１１及び図１２にグラインダを図示している。モータハウジング２は全体として前後方向に長い形状であって、主軸（図示省略）が水平且つ前を向くようにしてモータ（図示省略）がモータハウジング２に収容されている。即ち、モータの回転中心は上下方向ではなく水平方向となっている。回転工具である円板状の回転砥石７０をモータハウジング２の前端部下面に備え、回転砥石７０は上下方向の軸線回りに回転する。回転砥石７０の回転方向Ｒは、図１２に示すように平面視において右回り（時計回り）である。そして、図１１のようにモータハウジング２の左側の側面に吸気口３８が形成されている。モータハウジング２に内蔵されているモータのブラシ（図示省略）はモータハウジング２の後部に位置する。図１１にブラシホルダ７１を図示しているが、該ブラシホルダ７１にブラシが取り付けられている。そして、ブラシホルダ７１がモータハウジング２に着脱自在に装着されている。吸気口３８はモータハウジング２の左側の側面であってブラシホルダ７１の直ぐ後側に位置している。尚、電源コード７２はモータハウジング２の後面から後方に出ている。このように種々の電動工具に適用可能である。
【符号の説明】
【００４４】
１    操作軸
２    モータハウジング（ハウジング）
３    操作ハウジング
４    モータ
５    ブレード（回転工具）
６    飛散防護カバー
７    ネジ
８    際刈ガード
１０    バッテリ取付部
１１    ケーブル
１２    主ハンドル部
１３    トリガ
１４    補助ハンドル
１５    ロックレバー
２０    モータ収容部
２１    取付筒部
２２    垂直延在部
２３    弧状湾曲面部
２４    カバー体
２５    右側の半割体（一方の半割体）
２６    左側の半割体（他方の半割体）
２７    ネジ
２８    段差部
２８ａ  壁面（ガード壁面）
２９    排気口
３０    開口部
３１    桟部
３２    板状部
３３    脚部
３３ａ  フック部
３４    脚部
３４ａ  フック部
３５    フィルタ
３６    カバー差し込み口
３６ａ  テーパ面
３７    カバー差し込み口
３８    吸気口
４０    モータケース
４１    主軸
４２    モータ排気孔
４３    ギヤ
４４    ブレード受け
４５    ブレードホルダ
４６    ネジ
６０    取付部
６１    傘部
６２    頂上面部
７０    回転砥石（回転工具）
７１    ブラシホルダ
７２    電源コード
Ｌ    分割接合ライン
Ｒ    ブレードの回転方向
Ｓ    隙間
Ｗ    左側への回動動作
【図１】
2017071023.tif 000003
【図２】
2017071023.tif 000004
【図３】
2017071023.tif 000005
【図４】
2017071023.tif 000006
【図５】
2017071023.tif 000007
【図６】
2017071023.tif 000008
【図７】
2017071023.tif 000009
【図８】
2017071023.tif 000010
【図９】
2017071023.tif 000011
【図１０】
2017071023.tif 000012
【図１１】
2017071023.tif 000013
【図１２】
2017071023.tif 000014